(57)【要約】  【課題】  車載装置間を接続する伝送線の本数の増加を抑制することにより、車両への設置等の状況下における作業性を向上させ、車両重量の増加を抑制し、敷設スペースの不足の問題を解消することが可能な通信方法、送信装置、受信装置及び通信システムを提供する。  【解決手段】  送信装置２０では、各入力インタフェース２１，２１，…にて非同期の信号の入力を受け付けて、先入れ先出し回路２２，２２，…へ出力し、先入れ先出し回路２２，２２，…では、保持した信号をビット数変換回路２３，２３，…を介して置数回路２４へ出力し、置数回路２４では、入力を受け付けた各信号を、所定の順序で配列し、配列された信号を、配列された順序に従ってシリアルデータを生成し、生成したシリアルデータを送信インタフェース２５から受信装置３０へ送信する。【選択図】      図２
2006148363.tif 000002
【特許請求の範囲】
【請求項１】
複数の規格の入力インタフェース及び送信インタフェースを備える送信装置と、複数の規格の出力インタフェース及び受信インタフェースを備える受信装置とを用い、前記送信装置から受信装置へデータを送信する通信方法において、
前記送信装置は、
各入力インタフェースから入力された複数の規格の信号を所定の順序で配列したシリアルデータを形成し、
形成したシリアルデータを送信インタフェースから前記受信装置へ送信し、
該受信装置は、
受信インタフェースから受信したシリアルデータを、配列されている順序に従って複数の規格の出力インタフェースから出力する
ことを特徴とする通信方法。
【請求項２】
複数の規格の入力インタフェース及び他の装置へデータを送信する送信インタフェースを備える送信装置において、
各入力インタフェースから入力された複数の規格の信号を所定の順序で配列したシリアルデータを形成する手段と、
形成したシリアルデータを送信インタフェースから他の装置へ送信する手段と
を備えることを特徴とする送信装置。
【請求項３】
複数の規格の入力インタフェース及び他の装置へデータを送信する送信インタフェースを備える送信装置において、
各入力インタフェースから出力された信号を夫々保持し、保持した信号を所定の間隔で出力する複数の先入れ先出し回路と、
該複数の先入れ先出し回路から夫々出力される各信号を、所定の順序で配列する置数回路と
を備え、
前記送信インタフェースは、置数回路に配列された信号を、配列された順序に従いシリアルデータとして送信するように構成してある
ことを特徴とする送信装置。
【請求項４】
前記先入れ先出し回路は、出力すべき信号を保持していない場合、ダミー信号を出力するように構成してあることを特徴とする請求項３に記載の送信装置。
【請求項５】
前記先入れ先出し回路から複数ビットの信号を受け付け、受け付けたビット数と異なるビット数の信号に変換して前記置数回路へ出力するビット数変換回路を更に備え、
前記先入れ先出し回路は、複数ビットの信号を、前記ビット数変換回路を介して前記置数回路へ出力するように構成してある
ことを特徴とする請求項３又は請求項４に記載の送信装置。
【請求項６】
複数の規格の出力インタフェース及び他の装置からデータを受信する受信インタフェースを備える受信装置において、
受信インタフェースからシリアルデータを受信する手段と、
受信したシリアルデータを、配列されている順序に従って複数の規格の出力インタフェースから出力する手段と
を備えることを特徴とする受信装置。
【請求項７】
複数の規格の入出力インタフェース及び他の装置からデータを受信する受信インタフェースを備える受信装置において、
前記受信インタフェースは、シリアルデータを受信した場合に、受信したシリアルデータを形成する信号を、配列されている順序に従い出力するように構成してあり、
受信インタフェースから出力された信号を配列されていた順序に従い保持し、配列されていた順序に従い所定のビット数毎に区分して出力する置数回路と、
該置数回路から区分して出力された信号を夫々保持し、予め対応付けられている出力インタフェースへ、保持した信号を夫々出力する複数の先入れ先出し回路と
を備えることを特徴とする受信装置。
【請求項８】
前記先入れ先出し回路は、保持した信号にダミー信号が含まれている場合、ダミー信号を破棄するように構成してあることを特徴とする請求項７に記載の受信装置。
【請求項９】
請求項２に記載の送信装置と、
請求項６に記載の受信装置と、
前記送信装置が備える送信インタフェースから前記受信装置が備える受信インタフェースへシリアルデータを伝送する伝送線と
を備えることを特徴とする通信システム。
【請求項１０】
請求項３乃至請求項５のいずれかに記載の送信装置と、
請求項７又は請求項８に記載の受信装置と、
前記送信装置が備える送信インタフェースから前記受信装置が備える受信インタフェースへ送信されるシリアルデータを伝送する伝送線と
を備えることを特徴とする通信システム。
【請求項１１】
前記送信装置及び受信装置は、車載装置であることを特徴とする請求項９又は請求項１０に記載の通信システム。
【発明の詳細な説明】
【技術分野】
【０００１】
本発明は、送信装置から受信装置へデータを送信する通信方法、該通信方法に用いられる送信装置及び受信装置、並びに該送信装置及び受信装置を備える通信システムに関し、特に省線化を実現することが可能な通信方法、送信装置及び受信装置並びに通信システムに関する。
【背景技術】
【０００２】
近年、車両に搭載されるオーディオビジュアル装置、ナビゲーション装置等の各種車載装置が増加の一途を辿っており、これらの各種装置を伝送線で接続する様々な車載システムが提案され、また実用化されている（例えば、特許文献１参照）。
【０００３】
車載システムにて用いられるナビゲーション装置等の車載装置は、高機能化が進んでおり、車載装置から出力される信号としては、画像、音声、周辺機器制御用信号等の様々な規格の信号があり、様々な規格の信号は、夫々の規格に基づくインタフェースに適合した専用の伝送線にて伝送される。
【特許文献１】特開２００２−１５２２４４号公報
【発明の開示】
【発明が解決しようとする課題】
【０００４】
しかしながら様々な規格のインタフェースに適合する伝送線を用いるため、複数の伝送線が必要となり、その本数は車載装置の高機能化が進むにつれて増加する。そして伝送線の本数の増加は、伝送線と車載装置との接続、車両への車載装置の設置等の状況下において煩雑な作業を要するため利便性の低下に繋がるという問題、更には車両重量の増加及び敷設スペースの不足という問題がある。
【０００５】
本発明は斯かる事情に鑑みてなされたものであり、複数の規格のインタフェースから出力された複数の規格の信号を、所定の順序で配列したシリアルデータを生成し伝送することにより、利便性を向上させ、車両重量の増加を抑制し、敷設スペースの不足の問題を解消することが可能な通信方法、該通信方法に用いられる送信装置及び受信装置、並びに該送信装置及び受信装置を備える通信システムの提供を目的とする。
【課題を解決するための手段】
【０００６】
第１発明に係る通信方法は、複数の規格の入力インタフェース及び送信インタフェースを備える送信装置と、複数の規格の出力インタフェース及び受信インタフェースを備える受信装置とを用い、前記送信装置から受信装置へデータを送信する通信方法において、前記送信装置は、各入力インタフェースから入力された複数の規格の信号を所定の順序で配列したシリアルデータを形成し、形成したシリアルデータを送信インタフェースから前記受信装置へ送信し、該受信装置は、受信インタフェースから受信したシリアルデータを、配列されている順序に従って複数の規格の出力インタフェースから出力することを特徴とする。
【０００７】
本発明では、複数の規格の信号から、シリアルデータを生成することにより、複数の規格の信号を一本の伝送線で送信することができるので、装置に伝送線を接続する場合の利便性を向上させ、車両重量の増加を抑制し、敷設スペースの不足の問題を解消することが可能である。
【０００８】
第２発明に係る送信装置は、複数の規格の入力インタフェース及び他の装置へデータを送信する送信インタフェースを備える送信装置において、各入力インタフェースから入力された複数の規格の信号を所定の順序で配列したシリアルデータを形成する手段と、形成したシリアルデータを送信インタフェースから他の装置へ送信する手段とを備えることを特徴とする。
【０００９】
本発明では、複数の規格の信号から、シリアルデータを生成することにより、複数の規格の信号を一本の伝送線で送信することができるので、伝送線を省線化することができ、敷設スペースの不足の問題を解消することが可能である。また省線化に伴う軽量化を実現することができ、車載装置として用いた場合には、車両重量の増加を抑制することが可能である。さらに省線化に伴い伝送線全体としての細線化を実現することができ、これにより取り回しが容易となるので、装置に伝送線を接続する場合の利便性を向上させることが可能である。
【００１０】
第３発明に係る送信装置は、複数の規格の入力インタフェース及び他の装置へデータを送信する送信インタフェースを備える送信装置において、各入力インタフェースから出力された信号を夫々保持し、保持した信号を所定の間隔で出力する複数の先入れ先出し回路と、該複数の先入れ先出し回路から夫々出力される各信号を、所定の順序で配列する置数回路とを備え、前記送信インタフェースは、置数回路に配列された信号を、配列された順序に従いシリアルデータとして送信するように構成してあることを特徴とする。
【００１１】
本発明では、複数の規格の信号から、シリアルデータを生成することにより、複数の規格の信号を一本の伝送線で送信することができるので、伝送線を省線化することができ、敷設スペースの不足の問題を解消することが可能である。また省線化に伴う軽量化を実現することができ、車載装置として用いた場合には、車両重量の増加を抑制することが可能である。さらに省線化に伴い伝送線全体としての細線化を実現することができ、これにより取り回しが容易となるので、装置に伝送線を接続する場合の利便性を向上させることが可能である。しかもシリアルデータの生成を、先入れ先出し回路及び置数回路にて行うため、様々な回路による複雑な処理を必要としないので、高速な処理を実現し、遅延時間を短縮することが可能である。
【００１２】
第４発明に係る送信装置は、第３発明において、前記先入れ先出し回路は、出力すべき信号を保持していない場合、ダミー信号を出力するように構成してあることを特徴とする。
【００１３】
本発明では、ダミー信号を挿入することにより、シリアルデータとして配列される信号の配列順を維持することができるので、シリアルデータを受信する装置側での同期ずれによる読み取り誤りを防止することが可能であり、入力時の転送速度が遅い規格の信号をシリアルデータとして送信する場合でも、他の規格の信号との速度差を吸収することが可能である。
【００１４】
第５発明に係る送信装置は、第３発明又は第４発明において、前記先入れ先出し回路から複数ビットの信号を受け付け、受け付けたビット数と異なるビット数の信号に変換して前記置数回路へ出力するビット数変換回路を更に備え、前記先入れ先出し回路は、複数ビットの信号を、前記ビット数変換回路を介して前記置数回路へ出力するように構成してあることを特徴とする。
【００１５】
ビット数変換回路にてパラレルデータのビット数を変換することにより、送信すべき信号が多い規格、即ち入力時の転送速度が速い規格の信号程、多くのビット数を割り当てて、夫々の規格の速度差を吸収することができるので、効率的な伝送を実現することが可能である。
【００１６】
第６発明に係る受信装置は、複数の規格の出力インタフェース及び他の装置からデータを受信する受信インタフェースを備える受信装置において、受信インタフェースからシリアルデータを受信する手段と、受信したシリアルデータを、配列されている順序に従って複数の規格の出力インタフェースから出力する手段とを備えることを特徴とする。
【００１７】
本発明では、受信したシリアルデータを、配列されている順序に従って複数の規格の出力インタフェースから出力することにより、複数の規格の信号から生成されたシリアルデータを受信し、出力することが可能となるため、複数の規格の信号を一本の伝送線で受信することができるので、伝送線を省線化することができ、敷設スペースの不足の問題を解消することが可能である。また省線化に伴う軽量化を実現することができ、車載装置として用いた場合には、車両重量の増加を抑制することが可能である。さらに省線化に伴い伝送線全体としての細線化を実現することができ、これにより取り回しが容易となるため、装置に伝送線を接続する場合の利便性を向上させることが可能である。
【００１８】
第７発明に係る受信装置は、複数の規格の入出力インタフェース及び他の装置からデータを受信する受信インタフェースを備える受信装置において、前記受信インタフェースは、シリアルデータを受信した場合に、受信したシリアルデータを形成する信号を、配列されている順序に従い出力するように構成してあり、受信インタフェースから出力された信号を配列されていた順序に従い保持し、配列されていた順序に従い所定のビット数毎に区分して出力する置数回路と、該置数回路から区分して出力された信号を夫々保持し、予め対応付けられている出力インタフェースへ、保持した信号を夫々出力する複数の先入れ先出し回路とを備えることを特徴とする。
【００１９】
本発明では、受信したシリアルデータを、配列されている順序に従い、夫々の規格に対応する出力インタフェースから出力することにより、複数の規格の信号から生成されたシリアルデータを受信し、受信したシリアルデータを夫々の規格に対応した信号として出力するため、複数の規格の信号を一本の伝送線で受信することができ、伝送線を省線化することができるので、敷設スペースの不足の問題を解消することが可能である。また省線化に伴う軽量化を実現することができ、車載装置として用いた場合には、車両重量の増加を抑制することが可能である。さらに省線化に伴い伝送線全体としての細線化を実現することができ、これにより取り回しが容易となるため、装置に伝送線を接続する場合の利便性を向上させることが可能である。しかもシリアルデータから夫々の規格の信号を取り出す処理を、簡単な回路にて行うため、様々な回路による複雑な処理を必要としないので、高速な処理を実現し、遅延時間を短縮することが可能である。
【００２０】
第８発明に係る受信装置は、第７発明において、前記先入れ先出し回路は、保持した信号にダミー信号が含まれている場合、ダミー信号を破棄するように構成してあることを特徴とする。
【００２１】
本発明では、ダミー信号を含むシリアルデータを受信した場合に、ダミー信号を破棄することにより、転送量が所定値以下となる規格の信号を伝送する場合でも、ダミー信号の挿入により配列順を維持することができるので、同期ずれによる読み取り誤りを防止することが可能である。
【００２２】
第９発明に係る通信システムは、第２発明に記載の送信装置と、第６発明に記載の受信装置と、前記送信装置が備える送信インタフェースから前記受信装置が備える受信インタフェースへシリアルデータを伝送する伝送線とを備えることを特徴とする。
【００２３】
本発明では、送信装置において、複数の規格の信号から、シリアルデータを生成することにより、複数の規格の信号を一本の伝送線で送信することができるので、伝送線を省線化することができ、敷設スペースの不足の問題を解消することが可能である。また省線化に伴う軽量化を実現することが可能である。さらに省線化に伴い伝送線全体としての細線化を実現することができるため、取り回しが容易となるので、装置に伝送線を接続する場合の利便性を向上させることが可能である。
【００２４】
第１０発明に係る通信システムは、第３発明乃至第５発明のいずれかに記載の送信装置と、第７発明又は第８発明に記載の受信装置と、前記送信装置が備える送信インタフェースから前記受信装置が備える受信インタフェースへ送信されるシリアルデータを伝送する伝送線とを備えることを特徴とする。
【００２５】
本発明では、送信装置において、複数の規格の信号から、シリアルデータを生成することにより、複数の規格の信号を一本の伝送線で送信することができるので、伝送線を省線化することができ、敷設スペースの不足の問題を解消することが可能である。また省線化に伴う軽量化を実現することが可能である。さらに省線化に伴い伝送線全体としての細線化を実現することができ、これにより取り回しが容易となるため、装置に伝送線を接続する場合の利便性を向上させることが可能である。しかもシリアルデータの生成を、先入れ先出し回路及び置数回路にて行うため、様々な回路による複雑な処理を必要としないので、高速な処理を実現し、遅延時間を短縮することが可能である。
【００２６】
第１１発明に係る通信システムは、第９発明又は第１０発明において、前記送信装置及び受信装置は、車載装置であることを特徴とする。
【００２７】
本発明では、伝送線を省線化することができるので、車両内での敷設スペースの不足の問題を解消することが可能である。また省線化に伴う軽量化を実現することができるので、車両重量の増加を抑制することが可能である。
【発明の効果】
【００２８】
本発明に係る通信方法、送信装置、受信装置及び通信システムは、画像信号、音声信号、周辺機器制御用信号等の夫々非同期で生成される複数の規格のデータを所定の順序で配列したシリアルデータを生成して伝送する。
【００２９】
この構成により、複数の規格の信号を、シリアルデータを伝送する１本の伝送線で伝送することが可能となるので、車両に搭載されるオーディオビジュアル装置等の高機能化が進む装置の信号を送受信する送信装置及び受信装置に適用した場合に、伝送線を省線化することができ、敷設スペースの不足の問題を解消することが可能である等、優れた効果を奏する。また省線化に伴う軽量化を実現することができ、車両重量の増加を抑制することが可能である等、優れた効果を奏する。さらに省線化に伴い伝送線全体としての細線化を実現することができ、これにより取り回しが容易となるため、装置に伝送線を接続する場合の利便性を向上させることが可能である等、優れた効果を奏する。
【００３０】
さらに本発明では、送信装置が、各入力インタフェースから入力された信号を夫々保持し、保持した信号を所定の間隔で出力する複数の先入れ先出し回路と、複数の先入れ先出し回路から夫々出力される各信号を、所定の順序で配列する置数回路と、置数回路に配列された信号を、配列された順序に従って送信する送信インタフェースとにてシリアルデータを生成することにより、様々な回路による複雑な処理を必要としないため、高速な処理を実現し、遅延時間を短縮することが可能である等、優れた効果を奏する。しかも先入れ先出し回路で信号の出力タイミングを調整することができるので、夫々非同期な信号間の同期をとることが可能である。
【００３１】
また本発明では、夫々の規格に応じて配列するビット数を決定することにより、送信すべき信号が多い規格、即ち入力時の転送速度が速い規格の信号程、多くのビット数を割り当てることとなり、夫々の規格の速度差を吸収することができるので、効率的な伝送を実現することが可能である等、優れた効果を奏する。
【発明を実施するための最良の形態】
【００３２】
以下、本発明をその実施の形態を示す図面に基づいて詳述する。
【００３３】
図１は、本発明の通信システムの構成を示すブロック図である。図１中１は、自動車等の車両であり、車両１には、２４ビットカラー画像を形成する画像信号を出力するＤＶＤ（デジタル多目的ディスク）再生装置、音声信号を出力するＭＤ（ミニディスク）再生装置等の信号出力装置１０と、信号出力装置１０から出力された様々な規格に則した信号を伝送する送信装置２０が搭載されている。送信装置２０には、１組の差動より対線（差動ツイストペアケーブル）を１本の線として用いた伝送線２の一端が接続され、伝送線２の他端には、送信装置２０から送信された信号を受信する受信装置３０が接続されている。受信装置３０は、伝送線を介して受信した様々な規格の信号を、夫々の規格に対応する信号の入力を受け付ける液晶モニタ、スピーカ等の信号入力装置４０へ出力する。
【００３４】
なお送信装置２０へ信号を出力する信号出力装置１０は、１台で複数の規格の信号を出力する装置であっても、異なる規格の信号を出力する複数台の装置であっても良い。同様に受信装置３０から出力される様々な規格の信号の入力を受け付ける信号入力装置４０は、複数の規格の信号の入力を受け付ける１台の装置であっても、異なる規格の信号の入力を受け付ける複数台の装置であっても良い。
【００３５】
また信号出力装置１０及び送信装置２０は、一つの筐体内に組み込まれる様に形成しても、また異なる筐体として形成しても良い。受信装置３０及び信号入力装置４０も同様である。
【００３６】
さらに伝送線２としては、差動より対線に限らず、同軸ケーブル、光ケーブル等の様々な伝送線を用いることが可能である。
【００３７】
信号出力装置１０から出力される信号の規格としては、上述した画像信号及び音声信号だけでなく、Ｂｌｕｅｔｏｏｔｈ等の規格に基づく微弱無線機へ出力するための信号、微弱無線機を制御するための信号、更に信号入力装置４０として用いられる様々な周辺機器を制御するための制御信号、信号出力装置１０の状態を示す状態信号等の様々な規格の信号を例示することができる。
【００３８】
図２及び図３は、本発明の実施の形態における通信システムにて用いられる各種装置の構成を示すブロック図であり、図２が主に送信装置２０を示し、図３が主に受信装置３０を示している。送信装置２０は、信号出力装置１０から出力される複数の規格の信号の入力を夫々受け付ける複数の入力インタフェース２１，２１，…と、各入力インタフェース２１，２１，…に夫々接続されている複数の先入れ先出し回路（ＦＩＦＯ回路）２２，２２，…と、各先入れ先出し回路２２，２２，…に夫々接続されている複数のビット数変換回路２３，２３，…とを備えている。なお以降の説明では、夫々の入力インタフェース２１，２１，…、先入れ先出し回路２２，２２，…及びビット数変換回路２３，２３，…を特に区分する必要がある場合、第１入力インタフェース２１ａ、第２入力インタフェース２１ｂ、第３入力インタフェース２１ｃ及び第４入力インタフェース２１ｄ、第１先入れ先出し回路２２ａ、第２先入れ先出し回路２２ｂ、第３先入れ先出し回路２２ｃ及び第４先入れ先出し回路２２ｄ、第１ビット数変換回路２３ａ、並びに第２ビット数変換回路２３ｂ、第３ビット数変換回路２３ｃ及び第４ビット数変換回路２３ｄとして表現する。
【００３９】
各入力インタフェース２１，２１，…では、入力を受け付けた信号を接続している夫々の先入れ先出し回路２２，２２，…へ出力する。なお各入力インタフェース２１，２１，…から各先入れ先出し回路２２，２２…へ出力される信号は、夫々非同期で異なる規格の信号である。例えば第２入力インタフェース２１ｂでは、パラレルデータとして受け付けた画像信号である２４ビットの信号を第２先入れ先出し回路２２ｂへ出力する。
【００４０】
各先入れ先出し回路２２，２２，…では、各入力インタフェース２１，２１，…から入力を受け付けた信号を夫々保持し、保持した信号を、図示しない同期信号出力回路から出力される同期信号に基づいて、所定の間隔でビット数変換回路２３，２３，…へ出力する。各入力インタフェース２１，２１，…が受け付ける信号の入力間隔は、夫々の規格に則しているため、入力インタフェース２１，２１，…毎に、１３．５ＭＨｚ、５０ＭＨｚ及び１００ＭＨｚという様に独自に設定されており、夫々非同期な信号である。但し各先入れ先出し回路２２，２２，…からビット数変換回路２３，２３，…へ出力される信号は、各先入れ先出し回路２２，２２，…へ同時的に出力される８０ＭＨｚ等の同期信号に基づくタイミングで出力される。なお先入れ先出し回路２２，２２，…では、信号を出力する時点で出力すべき信号を保持していないことを検出した場合、出力すべきビット数のダミー信号を出力する。例えば第２先入れ先出し回路２２ｂでは、パラレルデータとして受け付けた２４ビットの信号を、同期信号に基づき第２ビット数変換回路２３ｂへ出力する。
【００４１】
ビット数変換回路２３，２３，…は、各先入れ先出し回路２２，２２，…から夫々受け付けた信号を、受け付けたビット数と異なるビット数の信号に変換して置数回路（ラッチ回路）２４へ出力する。例えば第２ビット数変換回路２３ｂでは、パラレルデータとして受け付けた２４ビットの信号を、１０ビットずつ区分し、１０ビットのパラレルデータとして置数回路２４へ出力する。なおビット数の変換設定は信号の内容、他の信号との関係、全体の帯域等の各種要因に応じて設定されるため、状況によっては、入力される信号のビット数と出力するビット数とが一致する場合もある。
【００４２】
このようにビット数変換回路２３，２３，…では、各入力インタフェース２１，２１，…から受け付けた様々な信号を夫々の転送速度に応じたビット数で出力する機能を有し、夫々のビット数変換回路２３，２３，…からは、変換されたビット数の信号が夫々に割り当てられたチャネルの信号として出力される。例えば第１ビット数変換回路２３ａからは、第１チャネルの信号として４ビットずつ置数回路へ出力し、第２ビット数変換回路２３ｂからは、第２チャネルの信号として、１０ビットずつ置数回路２４へ出力し、第３ビット数変換回路２３ｃからは、第３チャネルの信号として、１ビットずつ置数回路２４へ出力し、そして第４ビット数変換回路２３ｄからは、第４チャネルとして、１ビットずつ置数回路２４へ出力する。このようなチャネル構成の場合、例えば第１チャネルには、音声信号が割り当てられ、第２チャネルには、画像信号が割り当てられ、第３チャネル及び第４チャネルには制御信号が割り当てられる。
【００４３】
チャネル毎に設定されている出力の単位となるビット数は、夫々の規格の転送速度に対応しており、転送速度が速い信号、即ち単位時間の伝送量が多い信号に対応するチャネルほど、出力する単位となるビット数は大きい値が設定される。
【００４４】
置数回路２３は、１６ビット等の所定個数の信号を配列して保持する保持部を有しており、保持部には、各先入れ先出し回路２２，２２，…から夫々出力される夫々に設定されたビット数の各信号が所定の順序で配列される。具体的には、１ビット目から４ビット目までの保持部には、第１先入れ先出し回路２２ａから入力を受け付けた４ビット分の信号が配列され、５ビット目から１４ビット目までの保持部には、第２先入れ先出し回路２２ｂから入力を受け付けた１０ビット分の信号が配列され、１５ビット目の保持部には、第３先入れ先出し回路２２ｃから受け付けた１ビット分の信号が配列され、そして１６ビット目の保持部には、第４先入れ先出し回路２２ｄから受け付けた１ビット分の信号が配列される。このように各入力インタフェース２１，２１，…から入力された様々な規格の信号は、置数回路２３に所定の順序で配列されて、シリアルデータを形成する。なお形成されるシリアルデータには、前後に各１ビット、合計２ビットの同期用ビットが付与されて送信単位となるフレームを構成する。
【００４５】
置数回路２４に配列された信号は、配列された順序に従い、送信インタフェース２５へシリアルデータとして出力され、送信インタフェース２５では、置数回路２４から受け付けるシリアルデータをＬＶＤＳ（低電圧差動通信：Low Voltage Differential Signaling）等のインタフェース規格に基づき伝送線２を介して受信装置３０へ送信する。なお送信インタフェース２５から受信装置３０へ送信されるシリアルデータは、断続的なパケット単位ではなく、送信単位となるフレームが繰り返される連続したデータとして送信される。
【００４６】
受信装置３０は、連続して送信されるシリアルデータを受信する受信インタフェース３１を備え、受信インタフェース３１では、受信したシリアルデータに付与されている同期用ビットに基づいて送信単位となるフレームを特定し、特定したフレームを構成するシリアルデータを形成する信号を、配列されている順序に従い保持する置数回路（ラッチ回路）３２へ出力する。
【００４７】
置数回路３２では、配列されている順序に従い、各チャネルに対応する所定のビット数毎に区分し、区分した夫々の信号を、各チャネルに対応する夫々のビット数変換回路３３，３３，…へ出力する。
【００４８】
各ビット数変換回路３３，３３，…では、入力された信号のビット数を必要に応じて変換し、変換したビット数の信号をパラレルデータとして先入れ先出し回路（ＦＩＦＯ回路）３４，３４，…へ出力する。
【００４９】
各先入れ先出し回路３４，３４，…では、夫々入力された信号を保持し、保持した信号を、対応付けられている出力インタフェース３５，３５，…へ、入力された順に出力する。また各先入れ先出し回路３４，３４，…では、保持した信号がダミー信号である場合、ダミー信号を出力インタフェース３５，３５，…へは出力せずに破棄する。
【００５０】
なお以降の説明では、夫々のビット数変換回路３３，３３，…、先入れ先出し回路３４，３４，…及び出力インタフェース３５，３５，…を特に区分する必要がある場合、第１ビット数変換回路３３ａ、第２ビット数変換回路３３ｂ、第３ビット数変換回路３３ｃ及び第４ビット数変換回路３３ｄ、第１先入れ先出し回路３４ａ、第２先入れ先出し回路３４ｂ、第３先入れ先出し回路３４ｃ及び第４先入れ先出し回路３４ｄ、並びに第１出力インタフェース３５ａ、第２出力インタフェース３５ｂ、第３出力インタフェース３５ｃ及び第４出力インタフェース３５ｄとして表現する。
【００５１】
例えば第１ビット数変換回路３３ａは、第１チャネルとして４ビットの信号を受け付け、必要に応じてビット数を変換して第１先入れ先出し回路３４ａへ出力し、更に第１先入れ先出し回路３４ａは受け付けた信号を第１出力インタフェース３５ａへ出力する。第２ビット数変換回路３３ｂは、第２チャネルとして１０ビットの信号を受け付け、必要に応じてビット数を変換して第２先入れ先出し回路３４ｂへ出力し、更に第２先入れ先出し回路３４ｂは受け付けた信号を第２出力インタフェース３５ｂへ出力する。第３ビット数変換回路３３ｃは、第３チャネルとして１ビットの信号を受け付け、必要に応じてビット数を変換して第３先入れ先出し回路３４ｃへ出力し、更に第３先入れ先出し回路３４ｃは受け付けた信号を第３出力インタフェース３５ｃへ出力する。第４ビット数変換回路３３ｄは、第４チャネルとして１ビットの信号を受け付け、必要に応じてビット数を変換して第４先入れ先出し回路３４ｄへ出力し、更に第４先入れ先出し回路３４ｄは受け付けた信号を第４出力インタフェース３５ｄへ出力する。
【００５２】
各出力インタフェース３５，３５，…は、画像信号、音声信号等の規格に夫々対応しており、各先入れ先出し回路３４，３４，…から入力された信号を、夫々の規格に基づく信号として、夫々のタイミングで、信号入力装置４０へ出力する。即ち送信装置２０が、第１入力インタフェース２１ａから受け付けた第１チャネルの信号は、受信装置３０が備える第１出力インタフェース３５ａから出力され、第２入力インタフェース２１ｂから受け付けた第２チャネルの信号は、第２出力インタフェース３５ｂから出力され、第３入力インタフェース２１ｃから受け付けた第３チャネルの信号は、第３出力インタフェース３５ｃから出力され、そして第４入力インタフェース２１ｄから受け付けた第４チャネルの信号は、第４出力インタフェース３５ｄから出力される。
【００５３】
また信号出力装置１０、送信装置２０、受信装置３０及び信号入力装置４０には図示しない電源回路から電力が供給されている。
【００５４】
次に本発明の送信装置２０における信号処理について説明する。図４は、本発明の送信装置２０の信号処理を概念的に示す説明図である。図４（ａ）は、送信装置２０が、夫々非同期で入力を受け付ける信号をパラレルデータとして示しており、図４（ｂ）は、パラレルデータに基づいて生成されたシリアルデータを示している。送信装置２０では、図４（ａ）に示す様に、先入れ先出し回路２２，２２，…からビット数変換回路２３，２３，…を介して、第１チャネルの４ビットの信号、第２チャネルの１０ビットの信号、第３チャネルの１ビットの信号及び第４チャネルの１ビットの信号を置数回路２４へ出力する。置数回路２４では、入力を受け付けた各信号を所定の順序で配列することにより、シリアルデータの単位となる１６ビットのフレームを形成する。そして置数回路２４に配列された信号は、配列された順序に従い、送信インタフェース２５へ出力され、送信インタフェース２５から、フレームを連続して送信することにより、図４（ｂ）に示すフレームが繰り返された連続したデータとしてシリアルデータが送信装置２０から受信装置３０へ送信される。
【００５５】
図５は、本発明の送信装置２０の信号処理を概念的に示す説明図である。図５（ａ）は、第２ビット数変換回路２３ｂが入力を受け付ける信号を示しており、図５（ｂ）は、第２ビット数変換回路２３ｂにてビット数を変換され第２チャネルの信号として置数回路２４へ出力される信号を示している。第２ビット数変換回路２３ｂが入力を受け付ける信号は、２４ビットのカラー画像を形成する画像信号であり、Ｒ（Ｒｅｄ）成分、Ｇ（Ｇｒｅｅｎ）成分及びＢ（Ｂｌｕｅ）成分の各色成分信号からなり、各色成分について８ビットに分級された階調を示す８桁の夫々の値を示している。図５（ａ）は、第２ビット数変換回路２３ｂに、Ｂ成分の１ビット目から８ビット目、Ｇ成分の１ビット目から８ビット目、そしてＲ成分の１ビット目から８ビット目の順で入力を受け付け保持された状態を示している。そして図５（ｂ）に示す様に、１ビット目から１０ビット目、即ちＢ成分の１ビット目から８ビット目、Ｇ成分の１ビット目及び２ビット目の信号が置数回路２４へ１クロック目の信号として出力される。そして１１ビット目から２０ビット目、即ちＧ成分の３ビット目から８ビット目、Ｒ成分の１ビット目から４ビット目の信号が置数回路２４へ２クロック目の信号として出力される。さらに２１ビット目から２４ビット目及び第２ビット数変換回路２３ｂが次のクロックで入力を受け付ける信号の１ビット目から６ビット目、即ちＲ成分の５ビット目から８ビット目及び次のＢ成分の１ビット目から６ビット目の信号が置数回路２４へ３クロック目の信号として出力される。以降、同様にして、１０ビットを単位として第２ビット数変換回路２３ｂから置数回路２４へ出力される。
【００５６】
前記実施の形態では、送信装置から受信装置へ信号を送信する形態を示したが、本発明はこれに限らず、双方の装置に夫々送信装置及び受信装置の回路を組み込んだ通信装置を実現し、双方向通信を実現する形態であっても良い。双方向通信を実現する通信装置として用いる場合、電源回路等の送信装置及び受信装置の双方で使用する回路は共有回路として用いることが可能であり、これにより装置全体としての大きさを小型化することが可能である。また双方向通信を行う２台の通信装置として用いる場合、夫々送受信されるシリアルデータの例としては、一方の装置から他方の装置へは、２４ビットフルカラー画像信号、スピーカ音声信号、微弱無線機への送信データ及び制御データ、並びに表示・撮影機器の制御信号をシリアルデータとし、他方の装置から一方の装置へは、ビデオカメラ撮影画像、マイク入力音声、微弱無線機からの受信データ及び制御データ、並びに表示・撮影機器からの情報信号をシリアルデータとするというデータ構成がある。またその場合、各通信装置に対しては、ＩＥＥＥ１３９４、ＵＳＢ、ＣＡＮ、ＬＩＮ及びＦｌｅｘＲａｙ等の双方向通信の通信規約に則した信号を入出力することが可能となる。
【００５７】
また前記実施の形態では、車載装置に適用する形態を示したが、本発明はこれに限らず、ホームネットワーク等の様々な通信システムに適用することが可能である。そしてカーナビゲーション装置に限らず、ＤＶＤ再生装置、テレビジョン受像機、オーディオ機器等の様々な装置に適用することが可能である。
【００５８】
さらに前記実施の形態では、複数の種類の非同期データからシリアルデータを生成する形態を示したが、本発明はこれに限らず、複数の種類の同期データからシリアルデータを生成する形態であっても良い。
【図面の簡単な説明】
【００５９】
【図１】本発明の通信システムの構成を示すブロック図である。
【図２】本発明の通信システムにて用いられる各種装置の構成を示すブロック図である。
【図３】本発明の通信システムにて用いられる各種装置の構成を示すブロック図である。
【図４】本発明の送信装置の信号処理を概念的に示す説明図である。
【図５】本発明の送信装置の信号処理を概念的に示す説明図である。
【符号の説明】
【００６０】
１  車両
２  伝送線
１０  信号出力装置
２０  送信装置
２１  入力インタフェース
２２  先入れ先出し回路
２３  ビット数変換回路
２４  置数回路
２５  送信インタフェース
３０  受信装置
３１  受信インタフェース
３２  置数回路
３３  ビット数変換回路
３４  先入れ先出し回路
３５  出力インタフェース
４０  信号入力装置
【図１】
2006148363.tif 000003
【図２】
2006148363.tif 000004
【図３】
2006148363.tif 000005
【図４】
2006148363.tif 000006
【図５】
2006148363.tif 000007